(57)【要約】      （修正有）【課題】ピストンを注射針保持体へ連結する際の薬液等の飛び出し又は漏出を抑制することができ、使用後の片付け、廃棄処理が容易となる注射器を提供する。【解決手段】筒体１１の先端側に、注射針１５を保持しかつ管路１４ｂの後端部に係合受け部１４ｃを形成した針保持体１４を設け、ピストン１２には、上記針保持体１４の係合受け部１４ｃに係合連結するための係合部１７を設け、上記ピストン１２の復動によって注射針１５及び針保持体１４を筒体１１内へ引き込む注射器で、上記ピストン１２の係合部１７の先端側に、該ピストン１２と針保持体１４の連結の際に管路１４ｂを塞ぐための突部１８を設ける。また、ピストン１２の先端部に、内部空間Ｈを形成した弾性部材のガスケット２０を設ける共に、軸部１２ｂには軸部流路２２を形成し、ピストン１２の連結時に、係合受け部１４ｃに残留する薬液等をガスケット内部空間Ｈへ導くようにする。【選択図】図１
0003142201.tif 000002
【実用新案登録請求の範囲】
【請求項１】
注射針を保持する保持体であって、この注射針内へ連通する管路の後方に係合受け部を形成した針保持体と、
この針保持体が内部へ引き込み可能となる状態で該針保持体を先端部に取り付けた筒体と、
この筒体内を往動して流体を先端側へ送る部材であって、上記針保持体の係合受け部に係合連結するための係合部を先端に有するピストンと、を有し、
上記係合部と係合受け部の係合により上記ピストンを上記針保持体に連結させ、該ピストンの復動によって上記注射針及び針保持体を筒体内へ引き込む注射器において、
上記ピストンの係合部の先端側に、該ピストンと上記針保持体の連結の際に該針保持体の管路を塞ぐ突部を設けたことを特徴とする注射器。
【請求項２】
上記筒体内壁との間の気密を確保するために上記ピストンの軸部先端側に取り付けられ、弾性部材を用いて内部空間を形成したガスケットを設け、上記係合部が係合受け部に係合するとき、該ガスケットは、その弾性変形により上記針保持体内に残留する流体を内部空間へ導くようにしたことを特徴とする請求項１記載の注射器。
【請求項３】
上記ガスケットの前側開口が密着する上記ピストン軸部の後方に、上記係合部が係合受け部に係合する際に変形したガスケットとピストン軸部との間から、針保持体内流体がガスケット空間内へ円滑に導かれるための流路を形成したことを特徴とする請求項１又は２記載の注射器。
【考案の詳細な説明】
【技術分野】
【０００１】
本考案は、特に医療用に用いられ、使用後の注射針を注射筒内へ収納して廃棄することができる注射器の内部構造に関する。
【背景技術】
【０００２】
従来から、薬液等を注入する注射器の使用後の片付け、廃棄処理等の作業を安全に行うため、注射針を注射筒内へ収納する構造が採用されており、この注射器としては、下記特許文献１，２等に示されるように各種の構造のものが存在する。
【０００３】
図６には、従来の注射器の構成が示されており、この注射器は、筒体１内をピストン２が往復動する構成において、注射針３を保持する保持部４が上記筒体１内の先端部から後方へ移動可能に取り付けられ、この注射針保持部４に例えば係合穴部（受け部）５が形成される。一方、ピストン２の先端部に、例えば先端側が球面となる係合突起６が形成されており、この係合突起６を上記注射針保持部４の係合穴部５に嵌め入れることにより、ピストン２を注射針保持部４に連結・結合し、このピストン２が戻される際に、注射針３と共にその保持部４を筒体内へ引き込み、収納することができるようになっている。
【特許文献１】特許第３４３５５７３号公報
【特許文献２】特開２００５−１１７４６７号公報
【考案の開示】
【考案が解決しようとする課題】
【０００４】
しかしながら、上記の注射針を筒体内へ収納する注射器では、注射終了後、ピストン２を注射針保持部４に連結する際に、ある程度、強い力でピストン２を押す必要があり、このときに、注射針３内の薬液等が飛び出したり、漏出したりするという問題がある。
【０００５】
即ち、人体等から注射針３を離した後、上述した注射針保持部４側の係合穴部５にピストン２側の係合突起６が嵌入されるように、ピストン２を押し込むことになるが、このときの係合突起６の嵌入圧力によって、注射針３内の薬液等が勢いよく押し出されることになる。従って、使用後の注射器の片付けや廃棄処理では、薬液等の飛び出し又は漏出を考慮した作業が煩雑となっていた。
【０００６】
本考案は上記問題点に鑑みてなされたものであり、その目的は、ピストンを注射針保持体へ連結する際の薬液等の飛び出し又は漏出を抑制することができ、使用後の片付け、廃棄処理が容易となる注射器を提供することにある。
【課題を解決するための手段】
【０００７】
上記目的を達成するために、請求項１に係る考案は、注射針を保持する保持体であって、この注射針内へ連通する管路の後方に係合受け部を形成した針保持体（ルアー）と、この針保持体が内部へ引き込み可能となる状態で該針保持体を先端部に取り付けた筒体と、この筒体内を往動して流体を先端側へ送る部材であって、上記針保持体の係合受け部に係合連結するための係合部を先端に有するピストン（押し子）と、を有し、上記係合部と係合受け部の係合により上記ピストンを上記針保持体に連結させ、該ピストンの復動によって上記注射針及び針保持体を筒体内へ引き込む注射器において、上記ピストンの係合部の先端側に、該ピストンと上記針保持体の連結の際に該針保持体の管路を塞ぐ突部（突起）を設けたことを特徴とする。
【０００８】
請求項２に係る考案は、上記筒体内壁との間の気密を確保するために上記ピストンの軸部先端側に取り付けられ、弾性部材を用いて内部空間を形成したガスケットを設け、上記係合部が係合受け部に係合するとき、該ガスケットは、その弾性変形により上記針保持体内に残留する流体を内部空間へ導くようにしたことを特徴とする請求項１記載の注射器。
請求項３に係る考案は、上記ガスケットの前側開口が密着する上記ピストン軸部の後方に、上記係合部が係合受け部に係合する際に変形したガスケットとピストン軸部との間から、針保持体内流体がガスケット空間内へ円滑に導かれるための流路（流体通路）を形成したことを特徴とする。
【０００９】
上記の構成によれば、ピストンの係合部が針保持体の係合受け部に係合・連結する際には、係合部先端側の突部が針保持体の管路を塞ぐので、このピストン係合部の連結時に発生する流体圧力が注射針側に与えられず、注射針からの流体（薬液等）の飛び出し又は漏出が抑制される。
【００１０】
また、請求項２の構成では、ピストン係合部の連結時に、ガスケットの弾性変形により針保持体（係合受け部）内に残留する流体がガスケット内部空間に導かれ、請求項３の構成では、流体が軸部に形成した流路を介してガスケット内部空間に導かれるので、注射針からの流体の飛び出し又は漏出が抑制されると共に、針保持体の係合受け部に対するピストン係合部の連結が円滑に行われる。
【考案の効果】
【００１１】
本考案の注射器は、ピストンを注射針保持体へ連結する際の薬液等の飛び出し又は漏出が抑制され、使用後の注射器の片付け、廃棄処理が容易となるという効果がある。
また、請求項２及び３の構成によれば、薬液等の飛び出し又は漏出を抑制するためのピストンの注射針保持体への連結が円滑に行われるという効果がある。
【考案を実施するための最良の形態】
【００１２】
図１乃至図５には、本考案の実施例に係る注射器の構成が示されており、図１は、注射筒とピストンを分離した状態の断面図で、図２は、針保持体（ルアーとも呼ばれる）、ガスケット及びピストン（押し子とも呼ばれる）の斜視図、図３は、先端部分の拡大図である。図示されるように、注射器は、円筒状の筒体１１と、この筒体１１内を往復動するピストン１２を有し、この筒体１１の先端部内周に、針保持体１４が嵌合配置される。
【００１３】
実施例では、筒体１１の先端部１１ａの内周に先端側が細くなる段差部（テーパ面等でもよい）が形成され、一方の針保持体１４には上記段差部に嵌合する外周面が設けられており、この針保持体１４は、筒体１１の先端部１１ａの内周段差部に係止され、前側への移動はできないが、筒体１１内の先端部１１ａから後側への移動が可能になるように構成される。
【００１４】
上記針保持体１４の先端側には、注射針１５を取付け・保持するための保持部１４ａが設けられており、実施例の保持部１４ａは、注射針１５を滑らせて嵌合・固定するスリップ式となっている（なお、螺子式としてもよい）。また、この針保持体１４の管路１４ｂの後方（針保持体１４の後端部）に、円板状凹部からなり後端口の径が小さくなる係合受け部１４ｃが形成されている。
【００１５】
一方、ピストン１２は、４枚の細長い板を十文字状に組んだ支柱部１２ａを有し、この先端側に、廃棄時に支柱部１２ａを途中で折って短くするための切込み部５０が形成される。また、ピストン１２の先端側の軸部１２ｂには、上記係合受け部１４ｃに係合し係止する係合部１７が設けられ、この係合部１７は、円板状で側面がテーパ面又は円弧状に形成されており、その外周直径を上記係合受け部１４ｃの後端口の直径よりも少し大きくすることで、係合受け部１４ｃに係止できるようにする。この係合部１７と係合受け部１４ｃの係合によって、針保持体１４を筒体１１内へ引き込むことができるようになる。
【００１６】
そして、上記係合部１７の先端側に、図２（Ｃ），図３（Ａ）等に示されるように、上記針保持体１４の管路１４ｂに嵌合し、これを塞ぐための円柱状の突部１８が設けられており、この突部１８は、ピストン１２の往動で筒体１１内の薬液等の全量が送り出され、上記係合部１７が係合受け部１４ｃの後端面に当接した時点で管路１４ｂを完全に塞ぐ蓋の役目をする。
【００１７】
更に、上記係合部１７と支柱部１２ａの間に、ピストン１２側と筒体１１の内壁との間の気密を確保するためのガスケット２０が設けられており、このガスケット２０は、弾性ゴム等の弾性部材から内部空間（空洞）Ｈを有するように形成され、図３（Ａ）の拡大図で分かるように、後側開口部２０ｂが円板部１２ｃと１２ｄの間の隙間に取り付けられ、前側開口部（の内周）２０ａが軸部１２ｂ（の外周）に密着するように配置される。このガスケット２０の内部空間は、ピストン１２が針保持体１４に連結するとき、上記係合受け部１４ｃ内に残留する流体を、変形したガスケット２０の前側開口部２０ａを介して外部へ、即ちガスケット２０の内部空間Ｈへ排出させるために設けられる。
【００１８】
また、この軸部１２ｂの外周面には、上記ガスケット２０の前側開口部２０ａの内周が密着する位置の途中から円板部１２ｃ側までの部分的な位置に、軸部流路２２が形成される。
図５（Ａ）には、上記軸部１２ｂの構成、図５（Ｂ）には、該軸部１２ｂの下部横断面が示されており、この軸部流路２２は、軸部１２ｂの横断面において、例えば十文字領域が残るように、軸部壁面を切り込んで形成される。この軸部流路２２は、ガスケット２０の前側開口部２０ａから押し出される薬液等をガスケット２０の内部空間Ｈに良好に導く役目をする。
【００１９】
実施例は以上の構成からなり、図４（Ａ）に示されるように、注射器の筒体１１内にはピストン１２の先端のガスケット２０から内部へ挿入され、このガスケット２０が筒体１１内面に密着する状態で、ピストン１２を往復動作させることができる。この筒体１１内へ薬液等を入れ、ピストン１２を押すと、図３（Ａ）の状態となり、この状態で、薬液等のほぼ全量が注射針１５から人体等へ注入されるが、このときには、ピストン１２の最先端の突部１８が針保持体１４の管路１４ｂを塞いだ状態となる。
【００２０】
そして、図３（Ａ）の状態から、ピストン１２を更に強く押すと、図３（Ｂ）のように、係合部１７が係合受け部１４ｃに係合して嵌まり込むことになる。このときには、上述のように、突部１８が管路１４ｂを塞いでいるので、係合受け部１４ｃ内に残留する薬液等は管路１４ｂ側へ流れることはないが、この係合時には薬液等に圧力が加えられており、この流体圧力により薬液等は、弾性変形したガスケット２０の内部空間Ｈへ押し出される。即ち、図３（Ｂ）に示されるように、ガスケット２０は、ピストン１２の押し込みと流体圧力によって変形し、このときガスケット２０の前側開口部２０ａと軸部１２ｂとの間に瞬間的にできた隙間から、軸部流路２２を介して、係合受け部１４ｃ内の薬液等がガスケット２０の内部空間Ｈへ排出される。
【００２１】
このようにして、ピストン１２の針保持体１４に対する連結動作では、突部１８が管路１４ｂを塞ぐので、係合・連結時の圧力が管路１４ｂ内の薬液等に与えられることはなく、薬液等が注射針１５から飛び出すことが防止される。実施例では、ピストン連結時に、上記突部１８が前側へ進む分だけ、薬液等が注射針１５側へ移動するが、これは僅かな量となる。
【００２２】
次いで、図３（Ｂ）の状態から、ピストン１２を引き、図４（Ｂ）の状態まで復動させることにより、注射針１５を筒体１１内へ収納・回収することができ、ここで、ピストン１２を切込み部５０で折れば、安全に廃棄ができるようになる。
【００２３】
上記実施例では、突起１８を円柱状としたが、針保持体１４の管路１４ｂを塞ぐことができるものであれば、どのような形状のものでもよいし、また軸部１２ｂに形成した４箇所の軸部流路２２についても、軸部１２ｂの側面を切り込んだ流路であれば、どのような形状のものでもよいし、配置箇所も４箇所に限らず、２，３箇所等としてもよい。
【図面の簡単な説明】
【００２４】
【図１】実施例の注射器の構成を示し、図（Ａ）は筒体側の断面図、図（Ｂ）はピストン側の一部断面図である。
【図２】実施例の注射器の構成を示し、図（Ａ）は針保持体の斜視図、図（Ｂ）はガスケットの斜視図、図（Ｃ）はピストンの斜視図である。
【図３】実施例の注射器の先端側の構成を拡大したもので、図（Ａ）は、ピストンを往動させ薬液等を排出したときの断面図、図（Ｂ）は廃棄のためにピストン係合部を針保持体係合受け部に係合させたときの断面図である。
【図４】実施例の注射器の全体構成を示し、図（Ａ）はピストン先端部を筒体に入れたときの断面図、図（Ｂ）はピストンにより注射針及び針保持体を筒体内へ引き込んだときの断面図である。
【図５】実施例の突部及び軸部流路の構成を示し、図（Ａ）は側面図、図（Ｂ）は図（Ａ）の軸部を下側で横方向に切断したときの断面図である。
【図６】従来の注射器の構成を示す断面図である。
【符号の説明】
【００２５】
１１…筒体、            １２…ピストン、
１２ａ…支柱部、        １２ｂ…軸部、
１４…針保持体、        １４ａ…注射針保持部、
１４ｂ…管路、          １４ｃ…係合受け部、
１５…注射針、          １７…係合部、
１８…突部、            ２０…ガスケット、
２２…軸部流路、        Ｈ…内部空間。
【図１】
0003142201.tif 000003
【図２】
0003142201.tif 000004
【図３】
0003142201.tif 000005
【図４】
0003142201.tif 000006
【図５】
0003142201.tif 000007
【図６】
0003142201.tif 000008